(57)【要約】    【課題】  ストロー付きカップは、使用者の握力が弱くても確実に保持することができるようにする。    【解決手段】  容器本体１の開口に蓋５を被せ、蓋にストロー９を貫通し、容器本体の外周面から取っ手１１を突き出し、取っ手を、棒を縦に配してその上端部を容器本体側に曲げたような曲り棒１２の構造にし、曲り棒と容器本体との間に、使用者が手を差し込む差込空間１３を形成したストロー付きカップにおいて、取っ手は、曲り棒の上端部を逆Ｕの字形状の溝にして、手の人差し指ｉを嵌め込む指嵌め部１５にし、指嵌め部の差込空間の幅ｄを人差し指の根元側の厚さ位にした。蓋の外周面に留め片２１を突き出し、留め片の配置位置を、差込空間に手の親指以外の指を差し込み、容器本体の外周を手で掴んで、その手の親指を容器本体の外周に当てたときに、その親指の上側になる位置にした。留め片の下面に親指が当たって親指と容器本体の上下方向のずれを防止する。【選択図】  図２
0003201491.tif 000002
【実用新案登録請求の範囲】
【請求項１】
容器本体は上端の開口に蓋を被せて取り付け、蓋にストローを貫通して取り付け、ストローの下端を容器本体内に、上端を容器本体外、蓋外に配置し、容器本体の外周面から取っ手を突き出し、
取っ手は、棒を縦に配してその上端部又は上端部と下端部を容器本体側に曲げたような曲り棒の構造にし、曲り棒と容器本体との間に、使用者の片方の手を横から差し込む差込空間を形成し、
使用者が飲み物を飲む際、手を差込空間に差し込んで容器本体を保持し、口にストローの上端ないし外端をくわえ、ストローで容器本体内の飲み物を吸い上げる構成にしているストロー付きカップにおいて、
取っ手は、曲り棒の上端部を逆Ｕの字形状の溝にして、手の人差し指を嵌め込む指嵌め部にし、
指嵌め部は、差込空間の幅を人差し指の根元側の厚さ位にし、
ストロー付きカップを保持するため、差込空間に手の親指以外の人差し指などの指を差し込み、容器本体の外周を手で掴んだときに、人差し指が指嵌め部に嵌り込む構成にしていることを特徴とするストロー付きカップ。
【請求項２】
容器本体の外周面又は蓋の外周面には、留め片を突き出して設け、
留め片の配置位置は、ストロー付きカップを保持するため、差込空間に手の親指以外の人差し指などの指を差し込み、容器本体の外周を手で掴んで、その手の親指を容器本体の外周に当てたときに、容器本体の外周に当っている親指の上側になる位置にし、留め片の下面に親指が当たって親指と容器本体の上下方向のずれを防止する構成にしていることを特徴とする請求項１に記載のストロー付きカップ。
【請求項３】
蓋は、容器本体の開口に被さった状態で、容器本体に対して回転可能にし、
留め片は、蓋の外周面に設け、
蓋を容器本体の開口に被さった状態で容器本体に対して回転すると、留め片の取っ手からの周方向距離が増減する構成にしていることを特徴とする請求項２に記載のストロー付きカップ。
【請求項４】
ストローは、蓋外に突出する外端側部分を湾曲可能にし、
留め片は、ストローを嵌め込む溝を上下方向に貫通して設け、溝にストローの外端側部分を挟んで留める構成にしていることを特徴とする請求項２又は３に記載のストロー付きカップ。
【請求項５】
取っ手は、曲り棒の上端面を滑り止め面に形成し、
ストロー付きカップを保持するため、差込空間に手の親指以外の人差し指などの指を差し込み、容器本体の外周を手で掴んでその手の親指を曲り棒の上端面に当てるとき、又は、曲り棒を手で握ってその手の親指を曲り棒の上端面に当てるとき、親指が曲り棒の上端面の滑り止め面に当たる構成にしていることを特徴とする請求項１〜４のいずれかに記載のストロー付きカップ。
【請求項６】
取っ手は、曲り棒の下端と容器本体との間に隙間を設けて差込空間の下端を開いた開放型にし、
開放型の取っ手は、指嵌め部の下側に位置する部分を掛け留め部にし、
掛け留め部は、曲げ棒と容器本体との間にベッドの柵や車椅子の肘掛けが入る形状寸法にし、
掛け留め部の差込空間は、指嵌め部の差込空間より広幅にし、
ストロー付きカップは、不使用時に、取っ手をベッドの柵や車椅子の肘掛けに引っ掛けてベッドの柵や車椅子の肘掛けに掛け留める構成にしていることを特徴とする請求項１〜５のいずれかに記載のストロー付きカップ。
【請求項７】
容器本体は、下端に受け止め部を設け、
受け止め部は、取っ手の下側に位置し、差込空間の差込方向に沿う横長形状にし、
取っ手をベッドの柵や車椅子の肘掛けに引っ掛けたときに受け止め部がベッドの柵の側面や車椅子の肘掛け下の側板に当たる構成にしていることを特徴とする請求項６に記載のストロー付きカップ。
【請求項８】
容器本体は下端に脚を付け、脚は容器本体の外周から鍔形状に突き出し、
鍔形状の脚は一部を横長の受け止め部にしていることを特徴とする請求項７に記載のストロー付きカップ。
【考案の詳細な説明】
【技術分野】
【０００１】
本考案は、身体弱者が飲み物を飲むのに適したストロー付きカップに関する。
【背景技術】
【０００２】
日常生活に介護を必要とするような身体弱者は、飲み物を飲む際、飲みこぼしを防ぐためにストロー付きカップを使用する。
ストロー付きカップは、有底円筒形状の容器本体の上端の開口に円盤形状ないしドーム形状の蓋を被せて着脱可能に取り付け、容器本体の開口を閉鎖している。蓋は、円管形状のストローを上下方向に貫通して取り付けている。ストローは、下端を容器本体内に、上端を容器本体外、蓋外に配置している。
ストロー付きカップは、使用者が手で保持するため、容器本体の外周面から取っ手を突き出している。取っ手は、棒を縦に配してその上端部又は上端部と下端部を容器本体側に曲げたような曲り棒の構造にしている。曲り棒と容器本体との間には、使用者の片方の手を横から差し込む差込空間を形成している。取っ手は、差込空間の形状によって閉鎖型と開放型に大別される。閉鎖型の取っ手は、曲り棒の上端と下端をそれぞれ容器本体に連結し、差込空間の下端を閉鎖している。開放型の取っ手は、曲り棒の上端のみを容器本体に連結し、曲り棒の下端と容器本体との間に隙間を設けている。差込空間の下端を開放している。
使用者は、飲み物を飲む際、手を取っ手の差込空間に差し込んでストロー付きカップを保持し、口にストローの上端ないし外端をくわえ、ストローで容器本体内の飲み物を吸い上げる。
【０００３】
また、ストロー付きカップは、横転し難くするために脚を付けているものがある。脚は、容器本体の下端外周から鍔形状に突き出している。
【先行技術文献】
【特許文献】
【０００４】
【特許文献１】特開２０１４−６１０６４号公報
【考案の概要】
【考案が解決しようとする課題】
【０００５】
［課  題］
上記のようなストロー付きカップは、使用者の握力が弱くても確実に保持することができるようにしたい。
また、不使用時に、使用者の身近に横転し難い状態で配置して置くことができるようにしたい。
【０００６】
［着  想］
１．ストロー付きカップの保持
ストロー付きカップを使用者の手で保持するには、取っ手の曲り棒と容器本体との間の差込空間に片方の手を、手の平を容器本体側に向けて差し込み、手で容器本体の外周を掴む。又は、差込空間に片方の手を、手の平を曲り棒側に向けて差し込み、手で曲り棒を握る。
１）人差し指の指嵌め部
容器本体の外周を手で掴む仕方でストロー付きカップを保持すると、手の親指以外の人差し指、中指、薬指と小指が差込空間に入り、人差し指が差込空間の上端に位置することになる。そこで、取っ手は、上端部を、人差し指を嵌め込む指嵌め部に形成することにする。指嵌め部は、曲り棒の上端部を、人差し指が嵌り込む逆Ｕの字形状の溝にする。指嵌め部の差込空間は、幅を人差し指の根元側の厚さ位にする。取っ手の上端部の指嵌め部に人差し指が嵌り込んでいると、ストロー付きカップの保持が確実になる。
なお、ほとんどの人は、人差し指の根元側の厚さが１．６ｃｍ強以下である。実施例では、指嵌め部の差込空間は幅を１．６ｃｍ位にする。
２）親指の留め片
容器本体の外周を手で掴むときには、その手の親指を容器本体の外周に当てる仕方がある。
この仕方でストロー付きカップを保持したときに、容器本体が親指に対して下方にずれると、換言すると、親指が容器本体に対して上方にずれると、ストロー付きカップの保持が不確実になる。そこで、容器本体の外周に当っている親指の上側になる位置に留め片を設けることにする。親指は、容器本体の外周に当てると留め片の下面にも当たる。親指と容器本体の上下方向のずれを防止する。留め片は、容器本体の外周面又は蓋の外周面から突き出す。
留め片を蓋の外周面に付けたときには、蓋を容器本体の開口に被さった状態で容器本体に対して回転すると、留め片の取っ手からの周方向距離が増減する。留め片は、周方向位置を、容器本体の外周に当たる親指の周方向位置に合わせて調整することができる。
３）ストローの留め片
上記の親指の留め片は、ストローを嵌め込む溝を上下方向に貫通して設けることにする。ストローは、蓋外に突出する外端側部分を湾曲可能にする。溝には、ストローの外端側部分を挟んで留める。ストローは、外端側部分を留め易い。
４）親指の滑り止め面
容器本体の外周を手で掴むときには、その手の親指を取っ手の曲り棒の上端面に当てる仕方がある。また、取っ手の曲り棒を手で握るときには、その手の親指を取っ手の曲り棒の上端面に当てる仕方がある。
これらの仕方でストロー付きカップを保持したとき、親指が取っ手の曲り棒の上端面に対して滑ると、ストロー付きカップの保持が不確実になる。そこで、取っ手は、曲り棒の上端面を滑り止め面に形成することにする。滑り止め面は、複数の突条が並列した面や多数の突起が配列した面、即ち凹凸面が例示される。
【０００７】
２．ストロー付きカップの配置
ストロー付きカップの使用者、身体弱者は、ベッドに臥したり、車椅子に座ったりしている。ストロー付きカップは、不使用時に、ベッドの外回りの柵や車椅子の左右の肘掛けなどに掛け留めることにする。掛け留め状態では、平面上に単に置いた状態より横転し難い。
１）掛け留め部
ストロー付きカップは、取っ手をベッドの柵や車椅子の肘掛けなどの上端に引っ掛けることにする。そのため、取っ手は、差込空間の下端が開いた開放型にする。開放型の取っ手は、上端部の指嵌め部の下側に位置する部分を掛け留め部にする。掛け留め部は、取っ手の曲げ棒と容器本体との間にベッドの柵や車椅子の肘掛けが入る形状寸法にする。掛け留め部の差込空間は、指嵌め部の差込空間より広幅にする。
なお、ほとんどのベッドは、柵の厚さが２ｃｍ強〜３ｃｍ弱である。多くの車椅子は、肘掛けの幅が３ｃｍ位である。実施例では、掛け留め部の差込空間は幅を３ｃｍ強にする。
２）受け止め部
ストロー付きカップは、取っ手をベッドの柵や車椅子の肘掛けに引っ掛けただけであると、傾いたり、揺れたりすることがある。不安定である。そこで、容器本体の下端に、ベッドの柵の側面や車椅子の肘掛け下の側板に当たる受け止め部を設けることにする。受け止め部は、取っ手の下側に位置し、取っ手の差込空間の差込方向に沿う横長形状にする。
脚を付けたストロー付きカップでは、容器本体下端外周から突き出ている鍔形状の脚の一部を横長の受け止め部にする
【課題を解決するための手段】
【０００８】
１．容器本体は上端の開口に蓋を被せて取り付け、蓋にストローを貫通して取り付け、ストローの下端を容器本体内に、上端を容器本体外、蓋外に配置し、容器本体の外周面から取っ手を突き出し、
取っ手は、棒を縦に配してその上端部又は上端部と下端部を容器本体側に曲げたような曲り棒の構造にし、曲り棒と容器本体との間に、使用者の片方の手を横から差し込む差込空間を形成し、
使用者が飲み物を飲む際、手を差込空間に差し込んで容器本体を保持し、口にストローの上端ないし外端をくわえ、ストローで容器本体内の飲み物を吸い上げる構成にしているストロー付きカップにおいて、
取っ手は、曲り棒の上端部を逆Ｕの字形状の溝にして、手の人差し指を嵌め込む指嵌め部にし、
指嵌め部は、差込空間の幅を人差し指の根元側の厚さ位にし、
ストロー付きカップを保持するため、差込空間に手の親指以外の人差し指などの指を差し込み、容器本体の外周を手で掴んだときに、人差し指が指嵌め部に嵌り込む構成にしていることを特徴とするストロー付きカップ。
２．上記１のストロー付きカップにおいて、
容器本体の外周面又は蓋の外周面には、留め片を突き出して設け、
留め片の配置位置は、ストロー付きカップを保持するため、差込空間に手の親指以外の人差し指などの指を差し込み、容器本体の外周を手で掴んで、その手の親指を容器本体の外周に当てたときに、容器本体の外周に当っている親指の上側になる位置にし、留め片の下面に親指が当たって親指と容器本体の上下方向のずれを防止する構成にしていることを特徴とする。
３．上記２のストロー付きカップにおいて、
蓋は、容器本体の開口に被さった状態で、容器本体に対して回転可能にし、
留め片は、蓋の外周面に設け、
蓋を容器本体の開口に被さった状態で容器本体に対して回転すると、留め片の取っ手からの周方向距離が増減する構成にしていることを特徴とする。
４．上記２又は３のストロー付きカップにおいて、
ストローは、蓋外に突出する外端側部分を湾曲可能にし、
留め片は、ストローを嵌め込む溝を上下方向に貫通して設け、溝にストローの外端側部分を挟んで留める構成にしていることを特徴とする。
５．上記１〜４のいずれかのストロー付きカップにおいて、
取っ手は、曲り棒の上端面を滑り止め面に形成し、
ストロー付きカップを保持するため、差込空間に手の親指以外の人差し指などの指を差し込み、容器本体の外周を手で掴んでその手の親指を曲り棒の上端面に当てるとき、又は、曲り棒を手で握ってその手の親指を曲り棒の上端面に当てるとき、親指が曲り棒の上端面の滑り止め面に当たる構成にしていることを特徴とする。
６．上記１〜５のいずれかのストロー付きカップにおいて、
取っ手は、曲り棒の下端と容器本体との間に隙間を設けて差込空間の下端を開いた開放型にし、
開放型の取っ手は、指嵌め部の下側に位置する部分を掛け留め部にし、
掛け留め部は、曲げ棒と容器本体との間にベッドの柵や車椅子の肘掛けが入る形状寸法にし、
掛け留め部の差込空間は、指嵌め部の差込空間より広幅にし、
ストロー付きカップは、不使用時に、取っ手をベッドの柵や車椅子の肘掛けに引っ掛けてベッドの柵や車椅子の肘掛けに掛け留める構成にしていることを特徴とする。
７．上記６のストロー付きカップにおいて、
容器本体は、下端に受け止め部を設け、
受け止め部は、取っ手の下側に位置し、差込空間の差込方向に沿う横長形状にし、
取っ手をベッドの柵や車椅子の肘掛けに引っ掛けたときに受け止め部がベッドの柵の側面や車椅子の肘掛け下の側板に当たる構成にしていることを特徴とする。
８．上記７のストロー付きカップにおいて、
容器本体は下端に脚を付け、脚は容器本体の外周から鍔形状に突き出し、
鍔形状の脚は一部を横長の受け止め部にしていることを特徴とする。
【考案の効果】
【０００９】
ストロー付きカップは、使用者の握力が弱くても確実に保持することができる。
また、不使用時に、使用者の身近に横転し難い状態で配置して置くことができる。
【図面の簡単な説明】
【００１０】
【図１】本考案の実施形態におけるストロー付きカップの斜視図。
【図２】同ストロー付きカップの縦断正面図。
【図３】同ストロー付きカップの平面図。
【図４】同ストロー付きカップの右側面図。
【図５】同ストロー付きカップの保持の仕方１を示す斜視図。
【図６】同ストロー付きカップの保持の仕方２を示す斜視図。
【図７】同ストロー付きカップの保持の仕方３を示す斜視図。
【図８】同ストロー付きカップの配置の仕方１を示す斜視図。
【図９】同ストロー付きカップの配置の仕方２を示す斜視図。
【図１０】同ストロー付きカップの配置の仕方３を示す斜視図。
【考案を実施するための形態】
【００１１】
実施形態のストロー付きカップは、図１〜図４に示すように、容器本体１に蓋５を付け、蓋５にストロー９を付けている。
【００１２】
容器本体１は、有底円筒形状の合成樹脂成形品にし、上端の開口に蓋５を被せて開口を閉鎖している。蓋５は、円盤形状ないしドーム形状の合成樹脂成形品にし、中心部にストロー孔６と空気孔７をそれぞれ上下方向に貫通して形成している。蓋５の上面には、ストロー留め用のピン８を上方に突出して形成している。ストロー９は、円管形状の軟質合成樹脂成形品にし、ストロー孔６に上下方向に貫通し、下端を容器本体１内に、上端を容器本体１外、蓋５外に配置している。このストロー９は、蓋５外に突出する外端側部分を含む全長を湾曲可能にしている。使用者がストロー９の外端を口にくわえ、ストロー９で容器本体１内の飲み物を吸い上げて飲む構成にしている。
【００１３】
容器本体１は、外周面に取っ手１１を径方向、放射方向に突出して形成している。取っ手１１は、細長平板形状の棒を縦に配してその上端部を容器本体１側に曲げたような曲り棒１２の構造にしている。曲り棒１２と容器本体１との間には、使用者の片方の手を横から差し込む差込空間１３を形成している。取っ手１１は、曲り棒１２の上端のみを容器本体１に連結し、曲り棒１２の下端と容器本体１との間に隙間を設けている。差込空間１３は下端を開放している。取っ手１１は開放型にしている。
【００１４】
開放型の取っ手１１は、曲り棒１２の上端部を逆Ｕの字形状の溝にして、手の人差し指ｉを嵌め込む指嵌め部１５にしている。指嵌め部１５の差込空間１３は、図２に示すように、幅ｄを人差し指ｉの根元側の厚さ位にしている。実施例では１．６ｃｍ位にしている。ストロー付きカップを保持するため、図５又は図６に示すように、差込空間１３に手の親指ｔ以外の人差し指ｉ、中指、薬指などの指を、手の平を容器本体１側に向けて差し込み、容器本体１の外周を手で掴んだときに、人差し指ｉが指嵌め部１５に嵌り込む構成にしている。
【００１５】
蓋５は、外周面に留め片２１を突き出して設けている。留め片２１の配置位置は、ストロー付きカップを保持するため、図５に示すように、差込空間１３に手の親指ｔ以外の人差し指ｉなどの指を、手の平を容器本体１側に向けて差し込み、容器本体１の外周を手で掴んで、その手の親指ｔを容器本体１の外周に当てたときに、容器本体１の外周に当っている親指ｔの上側になる位置にしている。留め片２１は、下面に親指ｔが当たって親指ｔと容器本体１の上下方向のずれを防止する構成にしている。差込空間１３に差し込む手は、右手のときも、左手のときもある。留め片２１は、右手用と左手用の２個にしている。
【００１６】
留め片２１付きの蓋５は、容器本体１の上端に被さった状態で容器本体１に対して回転可能にしている。留め片２１付きの蓋５を容器本体１の上端に被さった状態で取っ手１１付きの容器本体１に対して一方向又は他方向に回転すると、留め片２１の取っ手１１からの周方向距離が増加又は減少する。留め片２１は、周方向位置を、容器本体１の外周に当たる親指ｔの周方向位置に合わせて調整することができる。
【００１７】
留め片２１は、ストロー９を嵌め込む溝２２を上下方向に貫通して設けている。溝２２にストロー９の外端側部分を挟んで留める構成にしている。ストロー９は、外端開口をピン８に差し込むより、外端側部分を溝２２に挟む方が、容易である。
【００１８】
取っ手１１は、曲り棒１２の上端面を滑り止め面１６に形成している。滑り止め面１６は、複数の突条が並列した面、凹凸面にしている。ストロー付きカップを保持するため、図６に示すように、差込空間１３に手の親指ｔ以外の人差し指ｉなどの指を差し込み、容器本体１の外周を手で掴んでその手の親指ｔを曲り棒１２の上端面に当てるとき、又は、図７に示すように、曲り棒１２を手で握ってその手の親指ｔを曲り棒１２の上端面に当てるとき、親指ｔが滑り止め面１６に当たる構成にしている。曲り棒１２の上端面に当てた親指ｔの滑りを防止している。
【００１９】
開放型の取っ手１１は、指嵌め部１５の下側に位置する部分を掛け留め部１７にしている。掛け留め部１７は、図８、図９、図１０に示すように、曲げ棒１２と容器本体１との間にベッドの柵ｆや車椅子の肘掛けａが入る形状寸法にしている。掛け留め部１７の差込空間１３は、指嵌め部１５の差込空間１３より広幅にしている。実施例では、図２に示すように、掛け留め部１７の差込空間１３は、厚さＤが３ｃｍである柵ｆが楽に入る３ｃｍ強の幅にしている。
【００２０】
容器本体１は、下端に脚２６を形成している。脚２６は、容器本体１の外周から鍔形状に突き出している。鍔形状の脚２６は、取っ手１１の下側に位置する部分を受け止め部２７にしている。受け止め部２７は、差込空間１３の差込方向に沿う横長形状にしている。ストロー付きカップは、図８、図９、図１０に示すように、取っ手１１をベッドの柵ｆや車椅子の肘掛けａに引っ掛けたときに、受け止め部２７がベッドの柵ｆの側面や車椅子の肘掛けａ下の側板ｓに当たる構成にしている。ストロー付きカップの掛け留め状態が安定する。
【００２１】
蓋５は、容器本体１に対して、着脱可能及び回転可能にしている。その詳細な構成は、次のようにしている。
図２に示すように、有底円筒形状の容器本体１は、上端の開口縁の外周面に鍔形状の大径部３１を形成している。ドーム形状の蓋５は、下端の開口縁の下面に円環形状の周溝３２を同心状に形成している。周溝３２は、外周面に円環形状の突条３３を同心状に形成している。蓋５の下面の突条３３付き周溝３２には、容器本体１の大径部３１付き開口縁を嵌め込んでいる。容器本体１の開口縁は、大径部３１を周溝３２の外周面の突条３３と周溝３２の底面との間に挟んでいる。大径部３１と突条３３で、蓋５の容器本体１に対する抜け止めを施している。蓋５は、容器本体１の上端の開口に被さった抜け止め状態で、容器本体１に対して回転可能にしている。
【００２２】
弾性のある合成樹脂成形品の蓋５を弾性のある合成樹脂成形品の容器本体１から引き上げると、蓋５の突条３３が容器本体１の大径部３１を乗り越えて、蓋５の突条３３付き周溝３２が容器本体１の大径部３１付き開口縁から抜け出す。蓋５が容器本体１の上端の開口から取り外される。その蓋５を容器本体１の上端に同心状に載せて押し下げると、蓋５の周溝３２が容器本体１の開口縁に嵌り込み、蓋５の突条３３が容器本体１の大径部３１を乗り越えて、大径部３１が周溝３２の突条３３と周溝３２の底面との間に挟まる。抜け止め状態になる。蓋５が容器本体１の上端に、上端の開口を閉鎖した状態で、取り付けられる。即ち、蓋５は、容器本体１の上端に対して、着脱可能にしている。容器本体１の上端の開口は、開閉可能にしている。
【００２３】
［変形例］
本考案は、上記の実施形態に限定されない。次のような変形が例示される。
１．上記の実施形態において、取っ手１１の曲り棒１２は、細長平板形状の棒にしているが、角棒や丸棒にする。又は、その他の形状の棒にする。
２．上記の実施形態において、取っ手１１を引っ掛ける対象は、ベッドの柵ｆや車椅子の肘掛けａにしているが、車椅子の背もたれなどのその他の物、掛け留め部１７に入る形状寸法の物にする。
３．上記の実施形態において、取っ手１１は、開放型にしているが、開放型にする。ただし、掛け留め部１７を形成することができなくなる。
４．上記の実施形態において、蓋５を容器本体１に取り付ける機構は、蓋５の突条３３付き周溝３２と容器本体１の大径部３１付き開口縁の嵌め合い機構にしているが、螺子機構にする。又は、その他の機構にする。
５．上記の実施形態において、図示の容器本体１は、円筒形状の外径を、下端に近付くに従って小径にしているが、均等径にする。又は、大径にする。
【符号の説明】
【００２４】
１  容器本体
５  蓋
６  ストロー孔
７  空気孔
８  ストロー留め用のピン
９  ストロー
１１  取っ手
１２  曲り棒
１３  差込空間
１５  指嵌め部
１６  滑り止め面、複数の突条が並列した面、凹凸面
１７  掛け留め部
２１  留め片
２２  留め片のストロー留め用の溝
２６  脚
２７  受け止め部
３１  容器本体の開口縁の大径部
３２  蓋の下面の周溝
３３  周溝の外周面の突条
ｄ  指嵌め部の差込空間の幅
ｔ  手の親指
ｉ  手の人差し指
ｆ  ベッドの柵
Ｄ  ベッドの柵の厚さ
ａ  車椅子の肘掛け
ｓ  車椅子の肘掛け下の側板
【図１】
0003201491.tif 000003
【図２】
0003201491.tif 000004
【図３】
0003201491.tif 000005
【図４】
0003201491.tif 000006
【図５】
0003201491.tif 000007
【図６】
0003201491.tif 000008
【図７】
0003201491.tif 000009
【図８】
0003201491.tif 000010
【図９】
0003201491.tif 000011
【図１０】
0003201491.tif 000012